(57)【要約】【課題】  測光センサを用いることなく、ストロボ光の発光による違和感を与えない撮像をすることができるストロボ制御装置を提供する。【解決手段】  ストロボ光を発光させ、撮像手段によって被写体を撮像する撮像装置に用いられるストロボ制御装置であって、撮像手段によって撮像された撮像結果に基づいて色温度を検出し、検出した色温度に基づいて、ストロボ光の発光量またはストロボ光の色温度を補正する。または、被写体のホワイトバランスゲインを検出する検出手段と、この検出手段の検出結果に基づいて色温度を検出し、検出した色温度に基づいてストロボ光の発光量またはストロボ光の色温度を補正する。【選択図】    図１
2006171315.tif 000002
【特許請求の範囲】
【請求項１】
ストロボ光を発光させ、撮像手段によって被写体を撮像する撮像装置に用いられるストロボ制御装置であって、
前記撮像手段によって撮像された撮像結果に基づいて色温度を検出し、検出した色温度に基づいて、前記ストロボ光の発光量または前記ストロボ光の色温度を補正する補正手段
を有することを特徴とするストロボ制御装置。
【請求項２】
ＲとＧの比およびＢとＧとの比に応じた光源の色温度情報と、当該色温度に応じたストロボ発光となるストロボ発光量データとを記憶する第１の記憶手段を有し、
前記補正手段は、
前記撮像手段によって撮像された撮像結果となるＲＧＢデータに基づいて、Ｒ、Ｇ、Ｂの各積算値を算出する積算値生成手段と、
前記積算値生成手段によって生成されたＲＧＢデータの各積算値のうち、ＲとＧとの比となる積算値データおよびＢとＧとの比となる積算値データとを演算する演算手段と、
前記第１の記憶手段を参照し、前記演算手段が演算した、ＲとＧとの比の積算値データおよびＢとＧとの比の積算値データに基づいて、ストロボ発光量データを読み出し、読み出したストロボ発光量データに基づいて、前記ストロボ装置に発光させる制御手段と、
を有することを特徴とする請求項１記載のストロボ制御装置。
【請求項３】
ストロボ光を発光させ、被写体を撮像する撮像装置に用いられるストロボ制御装置であって、
前記被写体のホワイトバランスゲインを検出する検出手段と、
前記検出手段の検出結果に基づいて色温度を検出し、検出した色温度に基づいてストロボ光の発光量または前記ストロボ光の色温度を補正する補正手段
を有することを特徴とするストロボ制御装置。
【請求項４】
ホワイトバランスゲインと前記ホワイトバランスゲインに対応する色温度に応じたストロボ発光量データとを対応付けて記憶する第２の記憶手段を有し、
前記補正手段は、
前記第２の記憶手段を参照し、前記ホワイトバランス検出手段のホワイトバランスゲインに対応するストロボ発光量データを読み出し、読み出したストロボ発光量データに基づいて、前記ストロボ装置に発光させる第２の制御手段
を有することを特徴とする請求項３記載のストロボ制御装置。
【請求項５】
前記ストロボ光の色を補正する複数の色フィルタを格納する色フィルタ部を有し、
前記制御装置は、前記フィルタ部に格納された色フィルタのうち、前記検出される色温度に対応する色フィルタを前記ストロボ装置の発光経路に設定する
ことを特徴とする請求項１から請求項４のうちいずれかに記載のストロボ制御装置。
【請求項６】
ストロボ光を発光させ、撮像手段によって被写体を撮像する撮像装置に用いられるストロボ制御装置に用いられるストロボ制御プログラムであって、
前記撮像手段によって撮像された撮像結果に基づいて色温度を検出し、検出した色温度に基づいて、前記ストロボ光の発光量または前記ストロボ光の色温度を補正するステップ
をコンピュータに実行させるストロボ制御プログラム。
【請求項７】
ストロボ光を発光させ、被写体を撮像する撮像装置に用いられるストロボ制御装置に用いられるストロボ制御プログラムであって、
前記被写体のホワイトバランスゲインを検出するステップと、
検出されたホワイトバランスゲインに基づいて色温度を検出し、検出した色温度に基づいてストロボ光の発光量または前記ストロボ光の色温度を補正するステップ
をコンピュータに実行させることを特徴とするストロボ制御プログラム。
【請求項８】
ストロボ光を発光させ、撮像手段によって被写体を撮像する撮像装置に用いられるストロボ制御装置に用いられるストロボ制御方法であって、
前記撮像手段によって撮像された撮像結果に基づいて色温度を検出し、検出した色温度に基づいて、前記ストロボ光の発光量または前記ストロボ光の色温度を補正する
ことを特徴とするストロボ制御方法。
【請求項９】
ストロボ光を発光させ、被写体を撮像する撮像装置に用いられるストロボ制御装置に用いられるストロボ制御方法であって、
前記被写体のホワイトバランスゲインを検出し、
検出されたホワイトバランスゲインに基づいて色温度を検出し、検出した色温度に基づいてストロボ光の発光量または前記ストロボ光の色温度を補正する
ことを特徴とするストロボ制御方法。
【発明の詳細な説明】
【技術分野】
【０００１】
本発明は、ストロボ光を補正するストロボ制御装置、ストロボ制御プログラム、ストロボ制御方法に関する。
【背景技術】
【０００２】
従来から、デジタルカメラにおいて、撮像する際に、撮影対象が暗い場合は、ストロボ光を発光することによって、明るさを補い、撮像することが行われている。ここで、単にストロボ光を発光して撮像すると、ストロボ光によって周囲の光源の雰囲気が生かされず、不自然な色になってしまうという問題がある。
そこで、デジタルカメラにおいて、ストロボ発光をした場合であっても、周囲の雰囲気を生かした撮影を行うストロボ装置が提案されている（例えば、先行技術文献１参照）。このストロボ装置においては、測光センサを用いて周囲の色温度を測定し、測定結果に基づいてストロボ光の色温度を補正することによって、ストロボ光による不自然な色を緩和するものである。
【特許文献１】特開平６―３０８５８６号公報
【発明の開示】
【発明が解決しようとする課題】
【０００３】
しかしながら、上述した先行技術文献１のストロボ装置においては、測光センサを用いるようにしているので、部品数が増大してしまい、コストが増大してしまったり、ストロボ装置の重量が増大してしまったりしていた。デジタルカメラ等においては、持ち運びすることを考慮すると、軽量化することが望ましい。
【０００４】
本発明は、このような事情に鑑みてなされたもので、その目的は、測光センサを用いることなく、ストロボ光の発光による違和感を与えない撮像をすることができるストロボ制御装置、ストロボ制御プログラム、ストロボ制御方法を提供することにある。
【課題を解決するための手段】
【０００５】
上述した課題を解決するために、本発明は、ストロボ光を発光させ、撮像手段によって被写体を撮像する撮像装置に用いられるストロボ制御装置であって、前記撮像手段によって撮像された撮像結果に基づいて色温度を検出し、検出した色温度に基づいて、前記ストロボ光の発光量または前記ストロボ光の色温度を補正する補正手段を有することを特徴とする。
【０００６】
また、本発明は、上述のストロボ制御装置において、ＲとＧの比およびＢとＧとの比に応じた光源の色温度情報と、当該色温度に応じたストロボ発光となるストロボ発光量データとを記憶する第１の記憶手段を有し、前記補正手段は、前記撮像手段によって撮像された撮像結果となるＲＧＢデータに基づいて、Ｒ、Ｇ、Ｂの各積算値を算出する積算値生成手段と、前記積算値生成手段によって生成されたＲＧＢデータの各積算値のうち、ＲとＧとの比となる積算値データおよびＢとＧとの比となる積算値データとを演算する演算手段と、前記第１の記憶手段を参照し、前記演算手段が演算した、ＲとＧとの比の積算値データおよびＢとＧとの比の積算値データに基づいて、ストロボ発光量データを読み出し、読み出したストロボ発光量データに基づいて、前記ストロボ装置に発光させる制御手段と、を有することを特徴とする。
【０００７】
また、本発明は、ストロボ光を発光させ、被写体を撮像する撮像装置に用いられるストロボ制御装置であって、前記被写体のホワイトバランスゲインを検出する検出手段と、前記検出手段の検出結果に基づいて色温度を検出し、検出した色温度に基づいてストロボ光の発光量または前記ストロボ光の色温度を補正する補正手段を有することを特徴とする。
【０００８】
また、本発明は、上述のストロボ制御装置において、ホワイトバランスゲインと前記ホワイトバランスゲインに対応する色温度に応じたストロボ発光量データとを対応付けて記憶する第２の記憶手段を有し、前記補正手段は、前記第２の記憶手段を参照し、前記ホワイトバランス検出手段のホワイトバランスゲインに対応するストロボ発光量データを読み出し、読み出したストロボ発光量データに基づいて、前記ストロボ装置に発光させる第２の制御手段を有することを特徴とする。
【０００９】
また、本発明は、上述のストロボ制御装置において、前記ストロボ光の色を補正する複数の色フィルタを格納する色フィルタ部を有し、前記制御装置は、前記フィルタ部に格納された色フィルタのうち、前記検出される色温度に対応する色フィルタを前記ストロボ装置の発光経路に設定することを特徴とする。
【００１０】
また、本発明は、ストロボ光を発光させ、撮像手段によって被写体を撮像する撮像装置に用いられるストロボ制御装置に用いられるストロボ制御プログラムであって、前記撮像手段によって撮像された撮像結果に基づいて色温度を検出し、検出した色温度に基づいて、前記ストロボ光の発光量または前記ストロボ光の色温度を補正するステップをコンピュータに実行させることを特徴とする。
【００１１】
また、本発明は、ストロボ光を発光させ、被写体を撮像する撮像装置に用いられるストロボ制御装置に用いられるストロボ制御プログラムであって、前記被写体のホワイトバランスゲインを検出するステップと、検出されたホワイトバランスゲインに基づいて色温度を検出し、検出した色温度に基づいてストロボ光の発光量または前記ストロボ光の色温度を補正するステップをコンピュータに実行させることを特徴とする。
【００１２】
また、本発明は、ストロボ光を発光させ、撮像手段によって被写体を撮像する撮像装置に用いられるストロボ制御装置に用いられるストロボ制御方法であって、前記撮像手段によって撮像された撮像結果に基づいて色温度を検出し、検出した色温度に基づいて、前記ストロボ光の発光量または前記ストロボ光の色温度を補正することを特徴とする。
【００１３】
また、本発明は、ストロボ光を発光させ、被写体を撮像する撮像装置に用いられるストロボ制御装置に用いられるストロボ制御方法であって、前記被写体のホワイトバランスゲインを検出し、検出されたホワイトバランスゲインに基づいて色温度を検出し、検出した色温度に基づいてストロボ光の発光量または前記ストロボ光の色温度を補正することを特徴とする。
【発明の効果】
【００１４】
以上説明したように、この発明によれば、単に周囲の明るさを参照するのではなく、撮像手段の検出結果（例えば、ＲＧＢデータ）またはホワイトバランスゲインに基づいて色温度を特定し、その色温度に応じてストロボ発光量とストロボ発光の色を制御するようにしたので、測光センサを用いることなく、違和感を生じさせず、周囲光源の雰囲気にあった自然な色味を再現することができる。
【００１５】
また、本発明によれば、ストロボ発光をする場合に、色温度に応じた色フィルタを切り替えるようにしたので、写真の色味がストロボ光の支配的色になってしまうことを防止し、ストロボ発光色に影響されることなく、ストロボ発光を感じさせないような自然の色身の写真に仕上げることができる。
【発明を実施するための最良の形態】
【００１６】
以下、本発明の一実施形態によるストロボ制御装置を用いた撮像装置を図面を参照して説明する。本実施形態では、本発明に係る撮像装置の一例として、デジタルカメラを挙げて説明する。図１は、この発明の第１の実施形態によるデジタルカメラの構成を示す概略ブロック図である。
【００１７】
本実施形態のデジタルカメラは、被写体を撮像する撮像手段としての撮像素子（ＣＣＤ）４、アンプ（ＡＭＰ）回路９を有している。この撮像素子４の前段にはレンズが配置されており、このレンズを介された被写体像光が、撮像素子４の受光面に結像される。撮像素子４は、この受光面に結像された被写体像光を光電変換する。この撮像素子４としては、ＣＣＤ（Ｃｈａｒｇｅ  Ｃｏｕｐｌｅｄ  Ｄｅｖｉｃｅ）撮像素子、ＣＭＯＳ（Ｃｏｍｐｌｅｍｅｎｔａｒｙ  ＭＯＳ）撮像素子などが用いられる。撮像素子４は、後述するＣＰＵ１９からの指示に基づき駆動される。
【００１８】
ＡＭＰ回路９は、撮像手段の出力をなす撮像素子４の出力について、増幅度を可変するゲイン可変部を有する。このＡＭＰ回路９は、撮像手段における露出状態を変更する露出変更手段を構成している。
【００１９】
また、本実施形態のデジタルカメラは、Ａ／Ｄ変換器１０、画像信号処理回路１２、画像圧縮処理回路１３、ビデオエンコーダ１４、画像表示装置１５、ＣＰＵ１９、ＡＦ検出回路２０、ＡＷＢ検出回路２１、メモリ２２、ＶＲＡＭ２３、メディアコントローラ２４、記録メディア２５、ＡＥ検出回路２６を有している。
【００２０】
ＣＰＵ１９は、本デジタルカメラ全体を制御するものである。ＡＷＢ（Ａｕｔｏｍａｔｉｃ  Ｗｈｉｔｅ  Ｂａｌａｎｃｅ）検出回路２１は、ホワイトバランスを行うための画像信号レベルを検出する。ＡＥ（Ａｕｔｏｍａｔｉｃ  Ｅｘｐｏｓｕｒｅ）検出回路２６は、露光を行うための画像信号レベルを検出する。そして、このＡＷＢ検出回路２１、ＡＥ検出回路２６において露光制御信号及びホワイトバランス制御信号が形成され、この露光制御信号及びホワイトバランス制御信号がＣＰＵ１９に供給される。これにより、ＣＰＵ１９とＡＷＢ検出回路２１、ＡＥ検出回路２６とは、撮像素子４の出力に基づいて露出変更手段（ＡＭＰ回路９）の状態を可変制御する自動露出調節手段を構成している。
【００２１】
撮像素子４の出力信号は、ＡＭＰ回路９を介して、Ａ／Ｄ変換器１０に供給される。Ａ／Ｄ変換器１０は、ＡＭＰ回路９から出力された画像信号をデジタル信号に変換する。Ａ／Ｄ変換器１０の出力信号は、ＣＰＵ１９に取り込まれる。また、ＣＰＵ１９は、フォーカス制御（ＡＦ）をする。
【００２２】
ＡＦ（Ａｕｔｏｍａｔｉｃ  Ｆｏｃｕｓ）検出回路２０は、撮像素子４の出力に基づいてＡＦをするためのものである。ＡＦ検出回路２０は、フォーカス制御を行うために、画像信号の高周波成分レベルを検出する。この検出された高周波成分レベルに基づいて、ＣＰＵ１９が、レンズを合焦点の位置になるように制御する。
【００２３】
また、ＣＰＵ１９は、ＡＥ検出回路２６が出力する露光制御信号に応じて、レンズに設けられる絞り機構に対し、ＣＰＵ１９が絞りの開度を制御するとともに、ＡＷＢ検出回路２１からのホワイトバランス制御信号に応じて、画像信号処理回路１２で３原色信号のゲインを制御する。また、ＣＰＵ１９は、ゲイン制御信号をＡＭＰ回路９に供給し、所定の信号レベルとなるように、ＡＭＰ回路９のゲインを制御する。
【００２４】
シャッタースイッチ（図示せず）は、画像を撮影するときに押されるスイッチである。シャタースイッチが押されると、ＣＰＵ１９にシャッター信号が送られ、そのときの画像が撮像素子４に取り込まれる。そして、このときの１画面分の画像信号がメモリ２２に蓄積される。
【００２５】
メモリ２２に取り込まれた１画面分の画像信号は、画像信号処理回路１２で画像処理が行われた後に、画像圧縮回路１３に供給される。画像圧縮回路１３は、画像データを圧縮符号化する。画像データの圧縮方式としては、例えば、ＪＰＥＧ（Ｊｏｉｎｔ  Ｐｈｏｔｏｇｒａｐｈｉｃ  Ｅｘｐｅｒｔｓ  Ｇｒｏｕｐ）が用いられる。ＪＰＥＧはＤＣＴ（Ｄｉｓｃｒｅｔｅ  Ｃｏｓｉｎｅ  Ｔｒａｎｓｆｏｒｍ）を用いて画像圧縮するための規格である。なお、画像データの圧縮方式は、ＪＰＥＧに限定されるものではない。
【００２６】
圧縮符号化された画像信号は、メディアコントローラ２４を介して、記録メディア２５に供給され、記録メディア２５に記録される。記録メディア２５は、例えばフラッシュメモリを使ったカード型の着脱自在のメモリが用いられる。なお、記録メディア２５としては、デジタルカメラ内蔵の不揮発メモリ、磁気テープ、磁気ディスク、光ディスクなどを適用してもよい。
【００２７】
次に、ストロボ制御部５０について説明する。ストロボ制御部５０は、ストロボ光を発光するストロボ発光部（図示せず）が発光するストロボ発光量またはストロボ光の色温度を補正する制御を行う。ＲＧＢ積算値生成部３１は、Ａ／Ｄ変換器１０から出力される、撮像素子４によって撮像された撮像結果となるＲＧＢデータに基づいて、積算値を算出する。この積算値は、Ｒ、Ｇ、Ｂのそれぞれについて算出する。この積算は、全画素について積算してもよく、全画素を複数に分割し、分割された領域内の画素について積算するようにしてもよい。
【００２８】
Ｒ／Ｇ・Ｂ／Ｇ積算値演算部３３は、ＲＧＢ積算値生成部によって生成されたＲＧＢデータの各積算値のうち、ＲとＧとの比（Ｒ／Ｇ）となる積算値データおよびＢとＧとの比（Ｂ／Ｇ）となる積算値データとを演算する。
色温度・光源データ記憶部３４は、ＲとＧの比およびＢとＧとの比に応じた光源と、その光源の色温度情報を記憶する。この色温度・光源データ記憶部３４に記憶されるデータの一例を図２に示す。図２において、縦軸がＢとＧの積算値の比（Ｂ／Ｇ）、横軸がＲとＧの比（Ｒ／Ｇ）であり、これらに対応する光源および色温度が記憶される。例えば、ここでは、日陰・曇り（図２では、日陰／曇り（符号ａ））、太陽光（符号ｂ）、蛍光灯（符号ｃ）、白熱灯（符号ｄ）、タングステン（符号ｅ）の５種類の光源について分類されており、さらに、日陰・曇りが１００００℃、太陽光が５０００〜６０００℃、蛍光灯が４０００℃、白熱灯が３０００℃、タングステンが２０００℃のように色温度情報が記憶される。
この色温度・光源データ記憶部３４に記憶されるデータは、例えば、各光源について中心座標と縦軸側、横軸側の座標の距離を座標値として予め記憶しておくことにより、どの光源の座標範囲に入るかを検出することが可能となる。なお、この光源は、５種類に分類した場合について例示したが、４種類以下であってもよく、また、６種類以上であってもよい。
【００２９】
色温度・光源検出部３５は、色温度・光源データ記憶部３４を参照し、Ｒ／Ｇ・Ｂ／Ｇ積算値演算部３３から出力されるＲ／Ｇの積算値、Ｂ／Ｇの積算値の組み合わせに対応する光源と色温度とを検出する。
記憶部３７は、色温度に応じたストロボ発光を行う発光量をストロボ発光量データとして色温度に対応付けて記憶する。ここでは、色温度が低くなるにつれてストロボ発光量が低く、色温度が高くなるにつれてストロボ発光量が高くなるようにストロボ発光量データとして記憶される。なお、ストロボ発光量データは、色温度に対応付けて記憶していても、光源に対応付けて記憶してもよい。
ストロボ発光量調整部３９は、記憶部３７を参照し、色温度・光源検出部３５が検出した色温度に対応するストロボ発光量データを読み出し、読み出したストロボ発光量データに基づいて、ストロボ発光部に対し、ストロボ発光をさせる光量を制御する。
【００３０】
記憶部４１は、ＲとＧの比およびＢとＧとの比に応じた光源の色温度情報と、当該色温度に応じて用いる色フィルタを指定する色フィルタ情報とを記憶する。ストロボ発光色フィルタ切替部４３は、撮影対象の色温度に応じた複数の色フィルタを格納する色フィルタ部を有しており、記憶部４１を参照し、色フィルタ部に格納された複数の色フィルタのうち、色温度・光源検出部３５が検出した色フィルタ情報に対応する色フィルタをストロボ装置の発光経路上に設定する。
【００３１】
ここで、このストロボ発光色フィルタ切替部４３について図３を用いてさらに説明する。色フィルタ２００は、撮像装置のストロボ光を発光するストロボ発光部における、ストロボ光の光源に設けられる発光ガラス面１００と光源の間（発光経路上）に設定される。ここで、色フィルタ２００は、色フィルタ部内に複数枚格納されており、ストロボ発光色フィルタ切替部４３が有する駆動手段によって、色フィルタ情報に対応する色フィルタを色フィルタ部から発光ガラス面１００と光源の間に移動させることによって設定する。この色フィルタは、色フィルタ情報に基づいて、光源がタングステンの場合は、オレンジ色、光源が蛍光灯、白熱灯の場合は黄色フィルタ、日陰の場合は青色フィルタ、等が設定される。この色フィルタは、複数枚を重ね合わせて設定するようにしてもよい。
【００３２】
次に、上述した実施形態におけるデジタルカメラの動作について、ストロボ制御部５０の動作を中心として図面を用いて説明する。図４は、ストロボ制御部５０を用いてストロボ発光させて撮像する場合におけるデジタルカメラの動作について説明するためのフローチャートである。ここでは、一例として、光源がタングステン光源である場合について説明する。まず、撮像するにあたり、ストロボ撮影モードであるか否かについて、スイッチ等を介して入力されるユーザの指示を参照して検出する（ステップＳ１１）。ストロボ撮影モードではない場合、ストロボ発光を行わず、撮像をして終了する。
【００３３】
一方、ストロボ撮影モードである場合、プリ測光時において、被写体像光が撮像素子４によって受光され、ＡＭＰ回路９によって増幅され、Ａ／Ｄ変換器１０によってデジタル値に変換されたＲＧＢデータが生成されると、ＲＧＢ積算値生成部３１は、このＲＧＢデータを取得する。次いで、ＲＧＢ積算値生成部３１は、このＲＧＢデータに基づいて、Ｒ、Ｇ、Ｂのそれぞれについて積算値を算出し、Ｒ／Ｇ・Ｂ／Ｇ積算値演算部３３に出力する。Ｒ／Ｇ・Ｂ／Ｇ積算値演算部３３は、ＲＧＢ積算値生成部３１から出力される積算値を取得すると（ステップＳ１２）、Ｒ／Ｇ、Ｂ／Ｇの各積算値を演算し、演算結果を色温度・光源検出部３５に出力する（ステップＳ１３）。
【００３４】
色温度・光源検出部３５は、色温度・光源データ記憶部３４を参照し、Ｒ／Ｇ、Ｂ／Ｇの各積算値に対応する色温度と光源とを検出する。ここでは、図２に示すデータが参照され、Ｒ／Ｇの積算値とＢ／Ｇの積算値との交点の座標がタングステン光源を示す領域内であることが検出されるので、光源がタングステン光源であることが検出され、タングステン光源に応じた色温度が色温度情報として検出される（ステップＳ１４）。ストロボ発光量調整部３９は、色温度・光源検出部３５によって検出された色温度情報を取得し、取得した色温度情報に応じたストロボ発光量を記憶部３７から読み出し、読み出したストロボ発光量に基づいたストロボ光の光量をストロボ発光部に指示する（ステップＳ１５）。
【００３５】
一方、ストロボ発光色フィルタ切替部４３は、色温度・光源検出部３５によって検出された色温度情報を取得し、取得した色温度情報に応じた色フィルタ情報を記憶部４１から読み出し、読み出した色フィルタ情報に対応する色フィルタを色フィルタ部から光源と発光ガラス面との発光経路上に移動させることにより切り替えて装着する（ステップＳ１６）。ここでは、光源がタングステン光源であるので、オレンジ色の色フィルタに切り替えられる。そして、半押しされたシャッターがさらに押し込まれると、ストロボ発光量調整部３９の指示に従ったストロボ発光量であって、タングステン光源に応じたオレンジ色のストロボ光が発光され、撮像される（ステップＳ１７）。
【００３６】
以上説明した実施形態によれば、光源に応じたストロボ発光量およびストロボ光の色温度でストロボ発光を行うことができる。例えば、タングステン光源の場合は、雰囲気重視にする設定で全体的に暗めにしてストロボ光を抑えて発光することができ、これにより、測光センサを用いることなく、タングステン光源の重厚感などの雰囲気を損なうことなく撮像することができる。なお、光源が蛍光灯、態様などの場合は、暗いという雰囲気は重視されないので、ストロボ発光量はタングステン光源に比べて増大されて発光される。
また、光源の色温度に応じた色フィルタに切り替えることにより、通常ならばストロボ光によってかき消されてしまう光源の雰囲気を維持して撮像することができ、これにより、ストロボ光と周囲光の色温度のギャップを軽減でき、ストロボ発光をしてもストロボ発光を感じさせない雰囲気のある画像を生成することができる。
【００３７】
次に、第２の実施形態について説明する。上述の実施形態においては、ストロボ発光の制御をする際に、撮像素子４から取得した情報に基づいてＲＧＢの積算値を算出した値を用いる場合について説明したが、この実施形態においては、撮像素子４から得られる情報ではなく、ホワイトバランス値を用いる場合について説明する。
【００３８】
この第２の実施形態における構成は、図１の構成と同様であるが、その機能が異なる。以下、その相違点について述べる。ＡＷＢ検出回路２１は、ホワイトバランスゲインを検出し、検出結果を色温度・光源検出部３５に出力する。色温度・光源データ記憶部３４は、ホワイトバランスゲインとホワイトバランスゲインに対応する色温度を対応づけてテーブル情報として記憶する。また、色温度・光源データ記憶部３４は、色温度と、色温度に応じた光源とを対応付けてテーブル情報として記憶する。
【００３９】
そして、この構成において、撮像が行われる場合、プリ測光時において、ＡＷＢ検出回路２１によってホワイトバランスゲインが検出されると、検出結果が色温度・光源検出部３５に出力される。色温度・光源検出部３５は、ＡＷＢ検出回路２１から出力されたホワイトバランスゲインに対応する色温度を色温度・光源データ記憶部３４のテーブル情報を参照して取得する。この色温度が検出されることにより、テーブル情報を参照し、色温度に対応する光源も特定される。
そして、色温度・光源検出部３５によって、色温度と光源が特定され、これにより、ストロボ発光量調整部３９によってストロボ発光量が制御され、ストロボ発光色フィルタ切替部４３によって、色フィルタの切り替えが行われる。
【００４０】
この実施形態によれば、ホワイトバランスゲインの値に応じて色温度を特定するようにしたので、第１の実施形態にくらべて、色温度の特定を直接的に特定することができ、色温度特定の精度を向上させることも可能となる。
【００４１】
なお、上述した実施形態に置いて、検出した色温度に応じて、露出を暗めまたは明るめに補正して撮像するようにしてもよい。
【００４２】
また、図１におけるＲＧＢ積算値生成部３１、Ｒ／Ｇ・Ｂ／Ｇ積算値演算部３３、色温度・光源検出部３５、ストロボ発光量調整部３９。ＡＷＢ検出回路２１の機能を実現するためのプログラムをコンピュータ読み取り可能な記録媒体に記録して、この記録媒体に記録されたプログラムを撮像装置に読み込ませ、実行することによりストロボ発光の制御を行ってもよい。ここでいう記録媒体とは、カメラが読み取り可能なメモリカードや磁気ディスク、光ディスク、カメラ内に内蔵されるメモリなどである。このプログラムは、記録媒体を介して行う以外に、インターネット上からダウンロードするようにしてもよい。
なお、この場合、色フィルタの切り替えに関しては、色フィルタ部を別途購入して撮像装置に取り付け、プログラムを撮像装置に読み込ませて実現しても良い。
【００４３】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００４４】
【図１】この発明の第１の実施形態によるデジタルカメラの構成を示す概略ブロック図である。
【図２】色温度・光源データ記憶部３４に記憶されるデータの一例を示す図面である。
【図３】ストロボ発光色フィルタ切替部４３について説明するための図面である。
【図４】ストロボ制御部５０を用いてストロボ発光させて撮像する場合におけるデジタルカメラの動作について説明するためのフローチャートである。
【符号の説明】
【００４５】
２１  ＡＷＢ検出回路                ３１  ＲＧＢ積算値生成部
３３  Ｒ／Ｇ・Ｂ／Ｇ積算値演算部    ３４  色温度・光源データ記憶部
３５  色温度・光源検出部            ３７、４１  記憶部
３９  ストロボ発光量調整部          ４３  ストロボ発光色フィルタ切替部
５０  ストロボ制御部
【図１】
2006171315.tif 000003
【図２】
2006171315.tif 000004
【図３】
2006171315.tif 000005
【図４】
2006171315.tif 000006